(57)【要約】【課題】板状遮蔽物を挟んで容易に対話が行える通話装置を提供する。【解決手段】本通話装置は、振動ピックアップ型マイクロホンと、振動ピックアップ型マイクロホンからの音声電気信号の周波数帯域を通過させるフィルタと、音声信号を増幅する増幅器と、音声を発するスピーカを有する受話装置及び、音声を受けるマイクロホンと、このマイクロホンからの電気信号を増幅する増幅器と、音信号のうち音声電気信号の周波数帯域を通過させるフィルタと、音声電気信号により板状遮蔽物を振動させて音声を発するピックアップ型スピーカを有する送話装置を備える。【選択図】  図１
2006041743.tif 000002
【特許請求の範囲】
【請求項１】
振動ピックアップ型マイクロホンと、この振動ピックアップ型マイクロホンからの音声電気信号の周波数帯域を通過させるフィルタと、音声信号を増幅する増幅器と、音声を発するスピーカを有する受話装置及び、音声を受けるマイクロホンと、このマイクロホンからの電気信号を増幅する増幅器と、音信号のうち音声電気信号の周波数帯域を通過させるフィルタと、音声電気信号により板状遮蔽物を振動させて音声を発するピックアップ型スピーカを有する送話装置を備えることを特徴とする通話装置。
【請求項２】
振動ピックアップ型マイクロホンと、振動ピックアップ型マイクロホンからの音声電気信号の周波数帯域を通過させるフィルタと、音声信号を増幅する増幅器と、音声を発するスピーカを有する受話装置および音声を受けるマイクロホンと、このマイクロホンからの電気信号を増幅する増幅器と、音信号のうち音声電気信号の周波数帯域を通過させるフィルタと、音声電気信号により板状遮蔽物を振動させて音声を発するピックアップ型スピーカを有する送話装置の少なくとも一方が、板状遮蔽物に取り付け手段により着脱自在に取り付けられることを特徴とする通話装置。
【請求項３】
板状遮蔽物の振動が伝えられる振動ピックアップ型マイクロホン機能と板状遮蔽物を振動させて音声を発する振動ピックアップ型マイクロホン機能を有する振動ピックアップ型スピーカ・マイクロホンユニットと、この振動ピックアップ型スピーカ・マイクロホンユニットに切り換え手段を介して接続されかつ、前記振動ピックアップ型スピーカ・マイクロホンユニットからの音声信号を増幅する増幅器と、この増幅器からの音声信号により音声を発するスピーカを有する受話装置と、音声を受けるマイクロホンと、このマイクロホンからの電気信号を増幅する増幅器を有しかつ、この増幅器に前記切り換え手段を介して前記振動ピックアップ型スピーカ・マイクロホンユニットに接続される送話装置を備えたことを特徴とする通話装置。
【請求項４】
請求項１ないし３のいずれか１項に記載の通話装置において、前記受話装置の前記スピーカ及び前記送話装置の前記マイクロホンは、スピーカ・マイクロホンユニットとして分離されることを特徴とする通話装置。
【請求項５】
請求項１ないし４のいずれか１項に記載の通話装置において、前記受話装置あるいはこの受話装置の主部及び前記送話装置あるいはこの送話装置の主部は、これらを板状遮蔽物に着脱自在に取り付ける取り付け手段に一体的に設けられていることを特徴とする通話装置。
【発明の詳細な説明】
【技術分野】
【０００１】
本発明は通話装置に係り、特にピックアップ型スピーカ、振動ピックアップ型マイクロホンを用いる通話装置に関する。
【背景技術】
【０００２】
高齢化社会の到来、安全社会の崩壊、新型感染症の流行などにより、人同士が直接対面して対話せず、ガラス窓、ドアあるいは隔壁などの遮蔽物を挟んで対話する機会が増加している。
【０００３】
しかしながら、従来の対話方法は、有線あるいは無線の通信機器を用いて、遮蔽物により隔離された人同士が対話を行っていた。
【０００４】
このため、対話可能場所が限られ、また、通信機器が高価になるなどの問題があった。
【０００５】
なお、特許文献１には骨伝導スピーカと骨伝導マイクを用いて同時双方向通話装置が提案されているが、遮蔽物を挟んで対話するには適さない。
【特許文献１】特開２００４−３２３３９号公報
【発明の開示】
【発明が解決しようとする課題】
【０００６】
本発明は上述した事情を考慮してなされたもので、板状遮蔽物を挟んで容易に対話が行える通話装置を提供することを目的とする。
【０００７】
また、板状遮蔽物に着脱自在で用途が拡大された通話装置を提供することを目的とする。
【課題を解決するための手段】
【０００８】
上述した目的を達成するため、本発明に係る通話装置は、振動ピックアップ型マイクロホンと、振動ピックアップ型マイクロホンからの音声電気信号の周波数帯域を通過させるフィルタと、音声信号を増幅する増幅器と、音声を発するスピーカを有する受話装置及び、音声を受けるマイクロホンと、このマイクロホンからの電気信号を増幅する増幅器と、音信号のうち音声電気信号の周波数帯域を通過させるフィルタと、音声電気信号により板状遮蔽物を振動させて音声を発するピックアップ型スピーカを有する送話装置を有することを特徴とする。
【０００９】
また、本発明に係る通話装置は、振動ピックアップ型マイクロホンと、振動ピックアップ型マイクロホンからの音声電気信号の周波数帯域を通過させるフィルタと、音声信号を増幅する増幅器と、音声を発するスピーカを有する受話装置および音声を受けるマイクロホンと、このマイクロホンからの電気信号を増幅する増幅器と、音信号のうち音声電気信号の周波数帯域を通過させるフィルタと、音声電気信号により板状遮蔽物を振動させて音声を発するピックアップ型スピーカを有する送話装置の少なくとも一方が、板状遮蔽物に取り付け手段により着脱自在に取り付けられることを特徴とする。
【００１０】
また、本発明に係る通話装置は、板状遮蔽物の振動が伝えられる振動ピックアップ型マイクロホン機能と板状遮蔽物を振動させて音声を発する振動ピックアップ型マイクロホン機能を有する振動ピックアップ型スピーカ・マイクロホンユニットと、この振動ピックアップ型スピーカ・マイクロホンユニットに切り換え手段を介して接続されかつ、前記振動ピックアップ型スピーカ・マイクロホンユニットからの音声信号を増幅する増幅器と、この増幅器からの音声信号により音声を発するスピーカを有する受話装置と、音声を受けるマイクロホンと、このマイクロホンからの電気信号を増幅する増幅器を有しかつ、この増幅器に前記切り換え手段を介して前記振動ピックアップ型スピーカ・マイクロホンユニットに接続される送話装置を備えたことを特徴とする。
【００１１】
好適には、前記受話装置の前記スピーカ及び前記送話装置の前記マイクロホンは、スピーカ・マイクロホンユニットとして分離される。
【００１２】
また、好適には、前記受話装置あるいはこの受話装置の主部及び前記送話装置あるいはこの送話装置の主部は、これらを板状遮蔽物に着脱自在に取り付ける取り付け手段に一体的に設けられている。
【発明の効果】
【００１３】
本発明に係る通話装置によれば、板状遮蔽物を挟んで容易に対話が行える通話装置を提供することができる。
【００１４】
また、板状遮蔽物に着脱自在で用途が拡大された通話装置を提供することができる。
【発明を実施するための最良の形態】
【００１５】
以下、本発明に係る通話装置の第１実施形態について添付図面を参照して説明する。
【００１６】
図１は本発明の第１実施形態に係る通話装置の概念図である。
【００１７】
図１に示すように、本第１実施形態に係る通話装置１は、通話装置本体２とこの通話装置本体２を板状遮蔽物に着脱自在に取り付ける取り付け手段３を有している。
【００１８】
通話装置本体２は例えば受話装置４と送話装置５で構成されている。
【００１９】
受話装置４は板状遮蔽物に密接して取り付けられる骨伝導マイクロホンなどに用いられる振動ピックアップ型マイクロホン４１と、振動ピックアップ型マイクロホン４１からの音声電気信号の周波数帯域を通過させるフィルタ４２と、フィルタ４２の音声信号を増幅する増幅器４３と、音声を発するスピーカ４４からなっている。
【００２０】
図２に示すように、上記振動ピックアップ型マイクロホン４１は、板状遮蔽物に密接し板状遮蔽物の振動を伝える当て板４１ａと、この当て板４１ａにより伝えられる振動を電気信号に変える圧電素子４１ｂを有している。
【００２１】
従って、板状遮蔽物の振動を電気信号に変換してフィルタ４２に送信し、このフィルタ４２により音声の電気信号例えば１〜３ｋＨｚの周波数の電気信号のみを取り出して増幅器４２に送信し、増幅された電気信号をスピーカ４４に送信する。
【００２２】
このスピーカ４４は、通常用いられるもので、電気信号としての増幅器４２の音声信号を磁界の中に置かれたコイルに流して振動させた振動板を介して空気を振動させて、音を発生させる形式のものである。
【００２３】
一方、送話装置５は音声を受ける通常のマイクロホン５１と、マイクロホン５１により変換された音の電気信号を増幅する増幅器５２と、増幅された音信号のうち音声電気信号の周波数帯域を通過させるフィルタ５３と、音声電気信号により板状遮蔽物を振動させて音声を発するピックアップ型スピーカ５４からなっている。
【００２４】
図３に示すように、このピックアップ型スピーカ５４は、円筒ケース５４ａと、この円筒ケース５４ａの上面に設けられた振動板５４ｂと、円筒ケース５４ａ内に嵌合される円筒形マグネット５４ｃと、中央磁極５４ｄを有していて円筒ケース５４ａの下部に嵌合されるヨーク５４ｅと、このヨーク５４ｅの中央磁極部５４ｆを取り巻くように配置されるボイスコイル５４ｇからなっている。
【００２５】
上記取り付け手段３は軟質合成樹脂製で真空を利用して吸着する真空吸着子からなっている。このような取り付け手段を用いることにより、通話装置１の脱着が容易になり、その用途の拡大が図れる。なお、取り付け手段は真空吸着子に限らず、軟質合成樹脂製のガム状のもの、両面テープであってもよく、さらに、通話装置の当て板、振動板を板状遮蔽物に密接させた状態で、通話装置を板状遮蔽物に取り付けることができれば、いかなる形式のものであってもよい。
【００２６】
また、受話装置４、送話装置５には、スピーカ４４、ピックアップ型スピーカ５４を押圧して、当て板４１ａ、振動板５４ｂが確実に板状遮蔽物に密接するように、弾性部材４５、５５が内装されている。
【００２７】
次に本第１実施形態の通話装置の使用例について説明する。
【００２８】
図４に示すように、劇場２１の券売窓口２２の透明なガラス板２３に本通話装置１を、取り付け手段３を用いて、図２に示す通話装置の当て板４１ａ、図３に示す振動板５４ｂをガラス板２３に密接させた状態で、通話装置１を板状ガラス板２３に取り付ける。なお、通話装置１は板状ガラス板２３の必ずしも中央部に取り付ける必要はなく、観劇客Ｇと券売人Ｅが対面できるように中央部を避けた位置に取り付けてもよい。
【００２９】
このように通話装置１が板状ガラス板２３に取り付けられた劇場２１の券売窓口２２に高齢者の観劇客Ｇが来る。
【００３０】
観劇客Ｇは板状ガラス板２３越しに希望の座席の観劇券の購入を申し出る。
【００３１】
観劇客Ｇの発する音声により、板状ガラス板２３は振動し、図２に示すように、この振動は振動ピックアップ型マイクロホン４１の当て板４１ａを介して圧電素子４１ｂに伝えられ、電気信号に変えられてフィルタ４２に送信され、音声の電気信号の周波数帯域を通過させ、増幅器４２に送信され、さらに、増幅された電気信号をスピーカ４４から観劇客Ｇの希望内容が券売人Ｅに伝えられる。
【００３２】
一方、スピーカ４４を介して希望内容を聞いた券売人Ｅは、その内容を反復して観劇客Ｇに返答する。
【００３３】
券売人Ｅの音声を受けたマイクロホン５１により変換された音の電気信号を増幅器５２で増幅しフィルタ５３で音声の電気信号の周波数帯域を通過させ、図３に示すように、電気信号によりボイスコイル５４ｇを介して振動板５４ｂを振動させて、この振動板５４ｂが密接する板状ガラス板２３を振動させて、音声を発生させる。観劇客Ｇはピックアップ型スピーカ５４を介して券売人Ｅの話の内容を明確に聞き取る。
【００３４】
このような券売窓口２２でのやりとりは、従来は小さな券受け渡し窓Ｗを介して行われていたので、高齢者には聞き取りにくく、高齢者の音声が不明瞭で券売人Ｅには聞き取りにくかったが、本通話装置１を用いることにより、高齢者Ｇ、券売人Ｅとも相手の話す内容を確実に聞き取ることができる。
【００３５】
また、本第１実施形態の通話装置の他の使用例について説明する。
【００３６】
図５に示すように、自動車３１のサイドウィンド３２に本通話装置１が取り付けられている。これにより、見知らぬ者Ｓがサイドウィンド３２に近づき、話かけてきても、運転者Ｄは、サイドウィンド３２を開けることなく、見知らぬ者Ｓと本通話装置１を介して会話はできるので、安全である。
【００３７】
また、本発明に係る通話装置の第２実施形態について説明する。
【００３８】
上記第１実施形態が通話装置の音声を発するスピーカ及び送話装置の音声をとらえるマイクロホンが送話装置に一体的に組み込まれているのに対して、本第２実施形態は、スピーカ及びマイクロホンが通話装置主部と分離されている。
【００３９】
例えば、図６に示すように、本第２実施形態の通話装置１Ａは、受話装置４Ａのスピーカ４４Ａ及び送話装置５Ａのマイクロホン５１Ａを含むスピーカ・マイクロホンユニット１Ａａが受話装置主部１Ａｂと分離されており、送発信装置１１Ａを介して、電波あるいは赤外線により、通話装置主部１Ａｂに設けられた受話装置主部４Ａａの発信素子４Ａｂ、送話装置主部５Ａａの受信素子５Ａｂと通信可能になっている。
【００４０】
なお、他の構成は図１に示す通話装置と異ならないので、同一符号を付して説明は省略する。
【００４１】
また、本第２実施形態の通話装置の使用例について説明する。
【００４２】
図７に示すように、リビングルームＲの窓ガラスＧには本第２実施形態の通話装置主部１Ａａが取り付けられており、テーブルＴ上にはスピーカ・マイクロホンユニット１Ａｂが載置されている。従って、使用者Ｕが発する音声はスピーカ・マイクロホンユニット１Ａｂの送話装置５のマイクロホン５１Ａ、送発信装置１１Ａ、ピックアップ型スピーカ５４を介して、窓ガラスＧを振動させて、室外に居る対話者に使用者Ｕの音声を伝える。
【００４３】
一方、対話者の音声は、窓ガラスＧを振動させ、この振動は通話装置主部１Ａｂの受話装置主部１Ａａを介して、電波として発信素子４Ａｂから送発信装置１１Ａに送信され、スピーカ４４Ａから音声を発生させる。
【００４４】
このように、スピーカ・マイクロホンユニット１Ａｂを用いれば、使用者Ｕが通話装置主部１Ａｂと離れた場所、すなわち窓ガラスＧから離れていても、室外に居る対話者と会話ができる。
【００４５】
また、本発明に係る通話装置の第３実施形態について説明する。
【００４６】
上記第１実施形態が振動ピックアップ型マイクロホン４１とピックアップ型スピーカ５４が別個に設けられているのに対して、第３実施形態は振動ピックアップ型マイクロホンとピックアップ型スピーカが一体に形成されている。
【００４７】
例えば、図８に示すように、本第３実施形態の通話装置１Ｂは、受話装置４Ｂと送話装置５Ｂの振動ピックアップ型マイクロホン機能とピックアップ型スピーカ機能を有する振動ピックアップ型スピーカ・マイクロホンユニット１Ｂａが設けられ、図２に示すような当て板４１ａと圧電素子４１ｂからなり、切り換え手段１Ｂｃを介して、受話装置主部４Ｂａ、発信装置主部５Ｂａに接続されている。この切り換え手段１Ｂｃはマニュアル操作の切り換えスイッチでもよく、また、音声をデジタル化し、例えば２ｋＨｚサンプリング程度の時分割で、電気的に切り換えを行うようにしてもよい。これにより、比較的高価な振動ピックアップ型マイクロホンとピックアップ型スピーカを一体にすることができ、通話装置が安価になる。
【００４８】
なお、上記各実施形態では、受話装置及び送話装置の両方を板状遮蔽物に取り付け手段により、着脱自在に取り付ける例で説明したが、別個に設けられた受話装置あるいは送話装置のいずれか一方を取り付け手段により板状遮蔽物に、着脱自在に取り付けて用いてもよい。
【００４９】
また、振動ピックアップ型マイクロホン、ピックアップ型スピーカは圧電方式、電磁コイル方式その他いかなる方式のものであってもよい。
【００５０】
また、取り付け手段により通話装置を板状遮蔽物に着脱自在に取り付ける例で説明したが、必ずしも着脱自在である必要がない。
【００５１】
また、使用例として、病院の集中治療室のガラス仕切板への取り付け、あるいは、住宅の玄関ドアに取り付けてインターホンに替えることができる。
【図面の簡単な説明】
【００５２】
【図１】本発明の第１実施形態に係る通話装置の概念図。
【図２】本発明の第１実施形態に係る通話装置に用いられる振動ピックアップ型マイクロホンの概念図。
【図３】本発明の第１実施形態に係る通話装置に用いられるピックアップ型スピーカの概念図。
【図４】本発明の第１実施形態に係る通話装置の使用例の概念図。
【図５】本発明の第１実施形態に係る通話装置の使用例の概念図。
【図６】本発明の第２実施形態に係る通話装置の概念図。
【図７】本発明の第２実施形態に係る通話装置の使用例の概念図。
【図８】本発明の第３実施形態に係る通話装置の概念図。
【符号の説明】
【００５３】
１  通話装置
２  通話装置本体
３  取り付け手段
４  受話装置
４１  振動ピックアップ型マイクロホン
４４  スピーカ
５  送話装置
５１  マイクロホン
５４  ピックアップ型スピーカ
【図１】
2006041743.tif 000003
【図２】
2006041743.tif 000004
【図３】
2006041743.tif 000005
【図４】
2006041743.tif 000006
【図５】
2006041743.tif 000007
【図６】
2006041743.tif 000008
【図７】
2006041743.tif 000009
【図８】
2006041743.tif 000010